(57)【要約】【課題】特定の地域全体としての宿泊に対する需要と供給を指標化する事で、地域全体の宿泊施設の宿泊予約価格を補正し最適化する。【解決手段】今までは、各宿泊施設の魅力を宿泊予約価格として決め、過去の経験により、繁忙期や閑散期による補正を行い、利用者に提示してきました。しかし、需要とは、その施設の魅力による宿泊したいという動機と、その施設のある、複数の地域イベントにより、その地域に宿泊したいという動機により決定され、供給とは、その地域にある複数の宿泊施設の供給能力により決定される。その地域の複数イベントによる需要と、その地域の複数の宿泊施設の供給能力の、それぞれを日毎に分析し照合する事で、地域全体の需要と供給のバランスを指標化する事が出来る。【効果】地域全体の日毎に分析した指標を参照し、各宿泊施設が独自で決めた宿泊予約価格を補正する事で、将来における、地域全体の宿泊予約価格の最適化がなされる。【選択図】なし【特許請求の範囲】
【請求項１】
インターネットに接続されるコンピュータにより構成される需要量算出システム、供給量算出システム、および値付け指標算出システムからなる宿泊予約価格を補正するシステムにおいて、前記需要量算出システムは、前記インターネットに接続されている、ユーザーが登録した名称、種類、位置情報、日時情報、予測動員人数を含む地域のイベント情報に関する情報が入力されているデータベースから、関連するイベントの情報を集計する集計手段と、前記集計手段によって集計された日毎の地域イベント情報を算出、指標化し、需要量を表す情報を前記値付け指標算出システムに出力する出力手段と
を備え、
前記供給量算出システムは、前記インターネットに接続されている、ユーザーが登録した名称、種類、位置情報、日毎の宿泊人数、宿泊可能人数を含む、宿泊施設に関する情報が入力されているデータベースから、関連する日毎の宿泊人数と宿泊可能人数を集計する集計手段と、前記集計手段により集計された日毎の宿泊人数と宿泊可能人数の係数から算出された供給量を表す情報を前記値付け指標算出システムに出力する出力手段と
を備え、
前記値付け指標算出システムは、前記需要量算出システムから情報が供給された需要数と、前記供給算出システムから情報が供給された供給量に基づいて、それぞれの情報を日毎に分析し、供給量と需要量のバランスを指標化し、その地域における宿泊予約価格を補正する手段を備えるシステム。
【請求項２】
データベースに登録された宿泊施設の情報は、あらかじめ、地域イベントにより増減する補正価格を設定し、請求項目２で指標化したデータを基に、宿泊予約価格に補正価格を適用する事で補正出来る事を特徴とする請求項１に記載の供給量と需要量のバランスを指標化し、その地域における宿泊予約価格を補正する手段を備えるシステム。
【請求項３】
補正価格を適用した宿泊予約価格は、インターネットを介した宿泊予約サイトで、自動乃至手動により利用する事が出来る事を特徴とする請求項１及び請求項２に記載の供給量と需要量のバランスを指標化し、その地域における宿泊予約価格を補正する手段を備えるシステム。
【発明の詳細な説明】
【技術分野】
【０００１】
本発明は、インターネットに接続されているデータベース上で、地域のイベント情報と地域の宿泊施設情報の係数を算出して照合する事により、地域の需要と供給のバランスを指標化し、各宿泊施設の設定した宿泊予約価格を補正できるようにした情報処理システムに関する。
【背景技術】
【０００２】
需要とは、その施設の魅力による宿泊したいという動機と、その施設のある、複数の地域イベントにより、その地域の宿泊施設に宿泊したいという動機により決定され、供給とは、その地域にある複数の宿泊施設の供給能力により決定されるが、今までは、その地域における複数イベントの、一日の予測動員人数と同時に、その地域における複数の宿泊施設の供給能力を照合した指標が無かった為、その地域における需要と供給のバランスが指標化されておらず、その事により、各宿泊施設の設定した独自の宿泊予約価格は、その地域における需要と供給のバランスによる最適化が成されなかった。
【先行技術文献】
【特許文献】
【０００３】
【特許文献１】特開２０１８-１７３９２８
【特許文献２】特開２０１２-５２４３４０
【特許文献３】特開２０１６-７５９９５
【特許文献４】特開２０１１-０７６２７１
【特許文献５】特開２０１１-９６００３
【特許文献６】特開２００１-１０１２６９
【特許文献７】特開２００１-３２５５０３
【特許文献８】特開２０１１-５１０３６６
【特許文献９】特開２００２-０９２２３８
【発明の概要】
【発明が解決しようとする課題】
【０００４】
本発明が解決しようとする課題は、特定の地域全体としての宿泊に対する需要と供給を指標化する事で、地域全体の宿泊施設の宿泊予約価格を補正し最適化する。
【課題を解決するための手段】
【０００５】
地域情報や固有の施設情報のオープン化により、情報を誰でも利用できるようになった事で、インターネット上の情報を収集し、データベース上で管理する事が容易になった。そして、インターネットなどのネットワーク経由でユーザーに情報を提供するクラウド・コンピューティングの概念も定着し、複数の関係者が情報を共有し利用する事が出来る。
【０００６】
本発明は、ネットワークを介して、インターネット上にあるイベント情報と宿泊施設情報をデータベース上に登録し、情報に不備等があった場合に、追加や修正または削除を行う。
【０００７】
請求項１乃至２において、地域のイベント情報としての需要と、地域の宿泊施設としての供給を、一日単位に分析し、照合する事で、地域の需要と供給のバランスを指標化する事を特徴とする。
【０００８】
請求項３において、あらかじめ、地域イベントの需要により増減する補正価格を設定し、指標化された地域の需要と供給のバランスを参照し、各宿泊施設の設定した独自の宿泊予約価格に対して補正価格を適用し補正する。
【０００９】
インターネットに接続されるコンピュータにより構成される需要量算出システム、供給量算出システム、および値付け指標算出システムからなる宿泊予約価格を補正するシステムにおいて、前記需要量算出システムは、前記インターネットに接続されている、ユーザーが登録した名称、種類、位置情報、日時情報、予測動員人数を含む地域のイベント情報に関する情報が入力されているデータベースから、関連するイベントの情報を集計する集計手段と、前記集計手段によって集計された日毎の地域イベント情報を算出、指標化し需要量を表す情報を前記値付け指標算出システムに出力する出力手段を備え、前記供給量算出システムは、前記インターネットに接続されている、ユーザーが登録した名称、種類、位置情報、日毎の宿泊人数、宿泊可能人数を含む、宿泊施設に関する情報を掲載しているデータベースから、関連する日毎の宿泊人数と宿泊可能人数を集計する集計手段と、前記集計手段により集計された日毎の宿泊人数と宿泊可能人数の係数から算出された供給量を表す情報を前記値付け指標算出システムに出力する出力手段とを備え、前記値付け指標算出システムは、前記需要量算出システムから情報が供給された需要数と、前記供給算出システムから情報が供給された供給量に基づいて、それぞれの情報を日毎に分析し、供給量と需要量のバランスを指標化し、その地域における宿泊予約価格を補正する手段を備える。
【００１０】
前記宿泊料金補正システムは、データベースに登録された宿泊施設の情報は、あらかじめ、地域イベントにより増減する補正価格を設定し、請求項目２で指標化したデータを基に、宿泊予約価格に補正価格を適用する事で補正出来る。
【００１１】
本発明の情報処理システムにおいては、その前記需要量算出システムにおいて、ユーザーが登録した名称、種類、位置情報、日時情報、予測動員人数を含む地域のイベント情報に関する情報を掲載しているデータベースから、関連するイベントの情報を集計する集計手段と、前記集計手段によって集計された日毎の地域イベント情報を算出、指標化し需要量を表す情報を前記値付け指標算出システムに出力される。またその供給量算出システムにおいて、インターネットに接続されている、ユーザーが登録した名称、種類、位置情報、日毎の宿泊人数、宿泊可能人数を含む、宿泊施設に関する情報を掲載しているデータベースから、関連する日毎の宿泊人数と宿泊可能人数を集計する集計手段と、前記集計手段により集計された日毎の宿泊人数と宿泊可能人数の係数から算出された供給量を表す情報を前記値付け指標算出システムに出力される。前記値付け指標算出システムにおいては、前記需要量算出システムから情報が供給された需要数と、前記供給算出システムから情報が供給された供給量に基づいて、それぞれの情報を日毎に分析し、供給量と需要量のバランスを指標化し、その地域における宿泊予約価格を補正する。
【発明の効果】
【００１２】
地域のイベント情報と地域の宿泊施設の、需要と供給を一日単位で照合する事で、各宿泊施設は宿泊予約価格に対して補正する事が出来る。その事により、単一の宿泊施設だけでなく、H-CASEを利用している地域全体の宿泊施設の経済活動が最適化される。
【図面の簡単な説明】
【００１３】
【図１】管理者とユーザー、イベントなどの相関図である。
【図２】施設情報とイベント情報を指標化する概念図である。
【図３】日毎のイベントを地域毎に予測動員人数を円の径により可視化した図である。
【図４】ネットワークシステムの構成例の図である。
【図５】図４の需要量算出システムの構成例を示すブロック図である。
【図６】図４の供給量算出システムの構成例を示すブロック図である。
【図７】図４の値付け指標算出システムの構成例を示すブロック図である。
【図８】需要量と供給量を指標化した図である。
【図９】補正価格により、宿泊予約価格を補正する方法の図の例である。
【発明を実施するための形態】
【００１４】
以下、本発明の例示的な実施の形態について説明する。
【００１５】
図１の相関図は、インターネットを介してデータベース上に、手順１で管理者が各施設の情報を登録し、手順２で一般ユーザーはユーザー登録をして、手順３で登録ユーザーが登録された施設のオーナーとして認定を受け、手順４で管理者が公式イベントとして各地のイベントを登録し、手順５で認定施設のオーナーも独自イベントとして登録が出来る。手順５の独自イベントを、手順６の管理者がチェックする事で、公式イベントとして認定される。
【００１６】
図２は、施設情報とイベント情報を指標化する概念図で、図３は、図２の概念も基づいて日毎のイベントを、地域毎に予測動員人数を円の径により可視化した図の例である。
【００１７】
図４は、本発明を適用したネットワークシステムの構成例を表している。この構成例においては、H-CASE１がインターネット２を介して、データベース３に接続されている。H-CASE１は、需要量算出ステム１１、供給量算出システム１２、および値付け指標算出システム１３により構成されている。なお、図４のネットワークシステムでは、宿泊施設が提供するサービスに対して、値付け指標を算出するものとする。
【００１８】
需要量算出システム１１は、処理対象として指定されたイベントに関する情報はインターネット２を介して、データベース３にアクセスし、そのイベントの名称、種類、位置情報、日時情報、予測動員人数を検索し、位置情報と日時情報から、日毎の位置情報における需要量を算出する。値付け指標算出システム１３は、需要量算出１１により算出された需要量と、供給量算出システム１２により算出された供給量に基づいて、その宿泊料金を補正する基準となる値付け指標を算出する。
【００１９】
需要量算出システム１１は、例えば、図５に示すように構成されている。イベント情報管理部３１は、登録されたイベントの名称、種類、位置情報、日時情報、予測動員人数のデータベースを有している。イベント情報集計部３２は、イベント情報管理部３１から指定された地域の日毎のイベント情報を集計する。イベント集計可視化部３３は、イベント情報集計部３２から供給された情報に基づいて、図２の概念図のように、位置情報と予測動員人数を円の径により可視化する。集計された需要量は、値付け指標算出システム１３へ供給される。
【００２０】
供給量算出システム１２は、例えば、図６に示すように構成される。宿泊施設情報管理部４１は、ユーザーが登録した名称、種類、位置情報、日毎の宿泊人数、宿泊可能人数を含む、宿泊施設に関する情報を掲載しているデータベースを有している。宿泊人数集計部４２は、宿泊施設情報管理部４１から指定された日毎の宿泊人数を集計する。宿泊可能人数集計部４３は宿泊施設情報管理部４１から指定された日毎の宿泊可能人数を集計する。
【００２１】
供給量算出部４４は、宿泊人数集計部４２と宿泊可能人数集計部４３の係数に基づいて、宿泊施設の供給量を算出する。供給量算出システム４４により、算出された供給量を表す情報は、値付け指標算出システム１３へ供給される。
【００２２】
図７は、値付け指標算出システム１３の構成例を表している。値付け指標算出部５１は、需要量算出システム１１より供給された需要数と、供給量算出システム１２より供給された供給量に、所定の関数を適用し、値付け指標を算出する。値付け指標公開部５２は、値付け指標算出部５１により算出された値付け指標を、宿泊価格を補正したいと宿泊施設管理者に提供する。
【００２３】
次に、値付け指標の具体例について、さらに詳しく説明する。図８は、地域におけるイベントとしての宿泊需要量と宿泊施設の宿泊供給量を指標化する図であり、図９はあらかじめ登録した補正価格により、宿泊予約価格を補正する方法の図の例である。地域における日毎の需要量と供給量を表に指標化し、ヒートマップを作成する事により、需要と供給による指標を一日単位で照合することにより、宿泊価格の補正を行う。
【００２４】
また、本明細書において、システムとは、複数の装置により構成される装置全体を表すものである。
【符号の説明】
【００２５】
１  H-CASE,  ２  インターネット，  ３  クラウド上の同一データベース，  １１  需要数算出システム，  １２  供給量算出システム，  １３  値付け指標算出システム，３１  イベント情報管理部，  ３２  イベント情報集計部，  ３３  イベント集計可視化部，  ４１  宿泊人数集計部，  ４２  宿泊可能人数集計部，  ４３  供給量算出部，５１  値付け指標算出部，  ５２  値付け指標公開部
【図１】
2020194312.tif 000002
【図２】
2020194312.tif 000003
【図３】
2020194312.tif 000004
【図４】
2020194312.tif 000005
【図５】
2020194312.tif 000006
【図６】
2020194312.tif 000007
【図７】
2020194312.tif 000008
【図８】
2020194312.tif 000009
【図９】
2020194312.tif 000010